(57)【要約】【課題】朱肉の交換をワンタッチで行うことができる朱肉付き印鑑ケースを提供する。【解決手段】印鑑３を収納したケース本体１と、このケース本体１に被冠する朱肉４を収納したキャップ２とからなる朱肉付き印鑑ケースであって、前記キャップ２は、筒状のキャップ本体２ａとこのキャップ本体２ａの端部から中央に向けて軸方向に押し込み可能なキャップ中子５からなるとともに、このキャップ中子５の先端部には朱肉４を内蔵したカートリッジケース６が着脱自在に装着されており、前記キャップ中子５を押し込むと前記朱肉４が印鑑３の印面３ａに接触するように構成してある。また、前記カートリッジケース６は、一端が開口された筒状ケース体８と、他端の中央に立設された軸部９とからなり、前記筒状ケース体８の内部には朱肉４を内蔵した構造となっている。【選択図】図１
2019051641.tif 000002
【特許請求の範囲】
【請求項１】
印鑑を収納したケース本体と、このケース本体に被冠する朱肉を収納したキャップとからなる朱肉付き印鑑ケースであって、
前記キャップは、筒状のキャップ本体とこのキャップ本体の端部から中央に向けて軸方向に押し込み可能なキャップ中子からなるとともに、
このキャップ中子の先端部には朱肉を内蔵したカートリッジケースが着脱自在に装着されており、
前記キャップ中子を押し込むと前記朱肉が印鑑の印面に接触するように構成してあることを特徴とする朱肉付き印鑑ケース。
【請求項２】
カートリッジケースは、一端が開口された筒状ケース体と、他端の中央に立設された軸部とからなり、前記筒状ケース体の内部には朱肉が内蔵してある請求項１に記載の朱肉付き印鑑ケース。
【請求項３】
カートリッジケースの軸部に凹部が形成され、一方、キャップ中子の中心部に形成した筒孔壁に凸部が突設されており、前記凹部と凸部の係合によりカートリッジケースがキャップ中子に対して着脱自在とされている請求項２に記載の朱肉付き印鑑ケース。
【発明の詳細な説明】
【技術分野】
【０００１】
本発明は、朱肉の交換をワンタッチで行うことができる朱肉付き印鑑ケースに関するものである。
【背景技術】
【０００２】
従来から、印鑑を収納したケース本体と、このケース本体に被冠する朱肉を収納したキャップとからなる朱肉付き印鑑ケースは公知である。また、特許文献１や特許文献２に示されるように、必要に応じてキャップのボタンを押すことにより、朱肉を印鑑側へ移動させて印面にインキを付着させる機構も知られている。
【０００３】
しかしながら、特許文献１や特許文献２に示される朱肉付き印鑑ケースの場合、キャップ内に収納される朱肉は容量が小さいため、何回も使用しているとインキがなくなってしまうという問題があった。
【０００４】
そこで、例えばスポイド等によって朱肉にインキを補充することが考えられるが、全体に均一にインキを補充することは難しく、インキが多く溜まっている部分は印影が滲むという問題が生じた。また、キャップから朱肉を取り出して均一にインキを含浸させたり別の朱肉に交換したりしているが、ネジやバネ等の部品数が多く分解・組立作業が煩雑で長時間かかるという問題や、朱肉で手が汚れてしまうという問題があった。
【先行技術文献】
【特許文献】
【０００５】
【特許文献１】実開平４−２６４４号公報
【特許文献２】特開２０００−２２９４６６号公報
【発明の概要】
【発明が解決しようとする課題】
【０００６】
本発明は上記のような従来の問題点を解決して、朱肉の交換をワンタッチで簡単に行うことができ、また部品の紛失や手の汚れ等の発生も防止することができる朱肉付き印鑑ケースを提供することを目的とする。
【課題を解決するための手段】
【０００７】
上記課題を解決するためになされた本発明の朱肉付き印鑑ケースは、印鑑を収納したケース本体と、このケース本体に被冠する朱肉を収納したキャップとからなる朱肉付き印鑑ケースであって、
前記キャップは、筒状のキャップ本体とこのキャップ本体の端部から中央に向けて軸方向に押し込み可能なキャップ中子からなるとともに、
このキャップ中子の先端部には朱肉を内蔵したカートリッジケースが着脱自在に装着されており、
前記キャップ中子を押し込むと前記朱肉が印鑑の印面に接触するように構成してあることを特徴とするものである。
【０００８】
好ましい実施形態によれば、前記カートリッジケースは、一端が開口された筒状ケース体と、他端の中央に立設された軸部とからなり、前記筒状ケース体の内部には朱肉が内蔵してあるものとするのが好ましく、これを請求項２に係る発明とする。
【０００９】
また、その他の好ましい実施形態によれば、前記カートリッジケースの軸部に凹部が形成され、一方、キャップ中子の中心部に形成した筒孔壁に凸部が突設されており、前記凹部と凸部の係合によりカートリッジケースがキャップ中子に対して着脱自在とされているものとするのが好ましく、これを請求項３に係る発明とする。
【発明の効果】
【００１０】
請求項１に係る発明では、キャップ中子の先端部には朱肉を内蔵したカートリッジケースが着脱自在に装着されている構造としたので、朱肉のインキが少なくなった場合はカートリッジケースを交換して新品の朱肉に交換すればよく、朱肉の交換作業をワンタッチで簡単かつ短時間に行うことができる。
【００１１】
また、請求項２に係る発明では、前記カートリッジケースは、一端が開口された筒状ケース体と、他端の中央に立設された軸部とからなり、前記筒状ケース体の内部には朱肉が内蔵してあるものとしたので、簡単な構造で安価なカートリッジケースとして提供することができ、また保管も便利である。
【００１２】
また、請求項３に係る発明では、前記カートリッジケースの軸部に凹部が形成され、一方、キャップ中子の中心部に形成した筒孔壁に凸部が突設されており、前記凹部と凸部の係合によりカートリッジケースがキャップ中子に対して着脱自在とされているので、カートリッジケースの着脱を簡単に行うことができ、また手にインキが付着して汚れるのを防ぐことができる。
【図面の簡単な説明】
【００１３】
【図１】本発明の実施の形態を示す断面図である。
【図２】本発明の実施の形態を示す平面図である。
【図３】本発明の実施の形態を示す斜視図である。
【図４】キャップ中子を押し込んだ状態を示す要部の拡大断面図である。
【図５】カートリッジケースを取り外した状態を示す要部の拡大断面図である。
【発明を実施するための形態】
【００１４】
以下に、図面を参照しつつ本発明の好ましい実施の形態を示す。
図１は、本発明の実施の形態を示す断面図、図２は平面図、図３は斜視図である。図において、１はケース本体であり、２はケース本体１に被冠するキャップである。３は前記ケース本体１に収納される印鑑、１ａはクリップである。また、４は前記キャップ２に収納される朱肉である。
【００１５】
前記キャップ２は、筒状のキャップ本体２ａとこのキャップ本体２ａの端部から中央に向けて軸方向に押し込み可能なキャップ中子５からなるとともに、このキャップ中子５の先端部には朱肉４を内蔵したカートリッジケース６が着脱自在に装着されている。前記キャップ中子５は、外周に装着されたコイルスプリング７の弾力に付勢されて天面５ａが常にキャップ２の端部に合致した位置となるように調整されている。
【００１６】
このように構成したものでは、常時は、前記朱肉４の端面と印鑑３の印面３ａの間には僅かな隙間（Ｓ）が形成されていて、インキが付着しない状態が保持されている（図１を参照）。一方、インキの補充が必要な場合は、前記キャップ中子５を軸方向に（図示のものでは、右側から左側に向けて矢印方向に）押し込むと、前記朱肉４が印鑑３の印面３ａに接触して適量のインキを印鑑に付着させることができる（図４を参照）。
【００１７】
前記カートリッジケース６は、図５に示されるように、一端が開口された筒状ケース体８と、他端の中央に立設された軸部９とからなり、前記筒状ケース体８の内部には朱肉４が内蔵した構造となっている。また、このカートリッジケース６は、前記キャップ中子５の先端にワンタッチで簡単に着脱自在に装着できる構造となっている。
【００１８】
図示のものでは、前記カートリッジケース６の軸部９には凹部９ａが形成され、一方、キャップ中子５の中心部に形成した筒孔壁５ｂには凸部５ｃが突設されており、前記凹部９ａと凸部５ｃの係合によりカートリッジケース６がキャップ中子５に対して着脱自在な構造となっている。
なお、前記の係合構造は図示のものに限定されるものではなく、軸部９に凸部、筒孔壁５ｂに凹部を設けてもよく、また、その他の任意の係合形態を採用することができる。
【００１９】
以上のように構成された朱肉付き印鑑ケースでは、図１に示されるように、通常はケース本体１にキャップ２が被冠されており、印鑑の使用に際してキャップ２を外して使用する。
キャップ２が被冠されている場合は、コイルスプリング７の弾力により常にキャップ中子５の天面５ａがキャップ２の端部に合致した位置となるように左方向へ付勢されており、朱肉４の端面と印鑑３の間には僅かな隙間（Ｓ）が形成されている。このため、印面３ａにインキが付着することがない。
なお、キャップ中子５の下端に形成された突起１０と、キャップ２の内側に形成された突起１１とが係合する構造であり、コイルスプリング７に付勢されてもキャップ中子５の飛び出し位置量が無制限とならずに、所定の位置に規制される構造となっている（図１を参照）。
【００２０】
一方、繰り返し使用して印鑑にインキを付着させることが必要になった場合は、図４に示されるように、キャップ２を外す前にキャップ中子５を軸方向（矢印方向）に押し込むと、朱肉４が印鑑３の印面３ａに接触してインキを付着させることができる。
即ち、前記カートリッジケース６の軸部９に形成された凹部９ａと、キャップ中子５の筒孔壁５ｂに形成された凸部５ｃとの係合によりカートリッジケース６がキャップ中子５と一体となっているため、キャップ中子５の押し込みに連動して朱肉４も軸方向（矢印方向）に移動することとなる。
このように印鑑へのインキの付着は、キャップ中子５の天面５ａを軸方向にワンプッシュするだけの簡単な操作で行うことができ、優れた使い勝手を発揮できる。
【００２１】
更に本発明では、図５に示されるように、朱肉４が内蔵したカートリッジケース６がキャップ中子５に対してワンタッチで簡単に着脱できる構造となっている。
即ち、前記カートリッジケース６の軸部９に形成した凹部９ａと、キャップ中子５の筒孔壁５ｂに形成した凸部５ｃとが着脱自在に係合する構造となっており、天面５ａに露出している軸部９の天面９ｂを先細の棒で押すと前記凹凸係合が外れて、カートリッジケース６を簡単に取り外すことができる。従って、使用済みのカートリッジケース６を取り外して新しいカートリッジケース６に交換すれば、インキを十分に貯留した朱肉４がリセットされることとなる。
また、手で押し込むことにより、カートリッジケース６を装着できなかった場合や、装着し忘れた場合でも、キャップ２を外からスライドプッシュすることで、カートリッジケース６の凹部９ａとキャップ中子５の凸部５ｃとを嵌合することができるため、印鑑３にインキを付着させる動作によって前記凹部９ａと凸部５ｃとを嵌合することができることとなる。このため、キャップ２を外した際に、カートリッジケース６の紛失やインキによる周囲への汚損を防止することができる。
【００２２】
以上の説明からも明らかなように、本発明はキャップ中子の先端部には朱肉を内蔵したカートリッジケースが着脱自在に装着されている構造としたので、朱肉のインキが少なくなった場合はカートリッジケースを交換して新品の朱肉に交換すればよく、朱肉の交換作業をワンタッチで簡単かつ短時間に行うことができる。また、カートリッジケースの交換をキャップの内側へ向けて行うので、紛失することがなく、更には朱肉に手を触れることがないので交換作業で手が汚れることもなく便利である。
【符号の説明】
【００２３】
１  ケース本体
１ａ  クリップ
２  キャップ
２ａ  キャップ本体
３  印鑑
３ａ  印面
４  朱肉
５  キャップ中子
５ａ  天面
５ｂ  筒孔壁
５ｃ  凸部
６  カートリッジケース
７  コイルスプリング
８  筒状ケース体
９  軸部
９ａ  凹部
９ｂ  先端部
１０  突起
１１  突起
Ｓ  隙間
【図１】
2019051641.tif 000003
【図２】
2019051641.tif 000004
【図３】
2019051641.tif 000005
【図４】
2019051641.tif 000006
【図５】
2019051641.tif 000007